(57)【特許請求の範囲】
【請求項１】
撮影レンズを介して被写体を撮像する撮像部；
前記撮像部が撮像した被写体の画像をスルー表示する表示部；
前記撮像部が撮像した被写体の画像に基づいて焦点状態を検出し、検出した焦点状態に基づいて焦点調節レンズ群を移動させて特定被写体に合焦させる自動焦点調節部；
前記自動焦点調節部が前記特定被写体に合焦させたときに、該自動焦点調節部による焦点調節レンズ群の移動を禁止してフォーカスロックするフォーカスロック部；
前記フォーカスロック部がフォーカスロックしているか否かを検出するフォーカスロック検出部；
前記撮影レンズが、前記焦点調節レンズ群を前記自動焦点調節部とは独立した手動操作により移動させる手動操作部を備えた特定撮影レンズであるか否かを検出するレンズ検出部；及び
前記フォーカスロック検出部が前記フォーカスロック部のフォーカスロックを検出し、かつ前記レンズ検出部が撮影レンズが前記特定撮影レンズであることを検出したときに、前記表示部において、前記特定被写体の画像を部分的にまたは全体的に画像処理してその他の被写体の画像と識別して表示させる識別表示制御部；
を備えることを特徴とするデジタルカメラ。
【請求項２】
請求項１記載のデジタルカメラにおいて、
前記表示部において、前記撮像部が撮像した被写体の画像のうち、少なくとも前記特定被写体の画像を含む領域を拡大して表示する拡大表示制御部をさらに備えており、
前記識別表示制御部は、前記拡大表示制御部による拡大表示が実行されたときに、前記表示部において、前記特定被写体の画像を部分的にまたは全体的に画像処理してその他の被写体の画像と識別して表示させるデジタルカメラ。
【請求項３】
請求項１または２記載のデジタルカメラにおいて、
前記識別表示制御部は、前記表示部において、前記特定被写体の輪郭の画像をその他の被写体の輪郭の画像とは異なる太さ、色または輝度で表示するデジタルカメラ。
【発明の詳細な説明】
【技術分野】
【０００１】
本発明は、合焦した特定被写体の画像をその他の被写体の画像と識別して表示する識別表示（ピーキング表示）が可能なデジタルカメラに関する。
【背景技術】
【０００２】
従来、デジタルカメラにおいて、モニターに表示された画像中、どの被写体画像に合焦しているのかの視認性、識別性を向上させるために、合焦した特定被写体の画像の輪郭部及びその周縁部を他の被写体の画像とは異なる色で表示するなどにより識別表示し、または合焦した特定被写体の画像を含む画像領域の色若しくは輝度を他の被写体の画像の色若しくは輝度と異ならせるなどにより識別表示するピーキング表示技術（特許文献１−３）が知られている。
【先行技術文献】
【特許文献】
【０００３】
【特許文献１】特開２００３−２５００６８号公報
【特許文献２】特開２００７−６０３２８号公報
【特許文献３】特開２００９−２３１９１８号公報
【発明の概要】
【発明が解決しようとする課題】
【０００４】
しかしながら、従来のピーキング表示は、実際に撮影される画像とは異なる、焦点調節をし易いようにデフォルメされた表示なので、撮影構図や色の確認などには適していない。そのため、使用者がモニターを見て被写体画像を観察しているときにピーキング表示がされると、撮影構図や色の確認を好適に行うことができない。
【０００５】
本発明は以上の問題意識に基づいてなされたものであり、自動焦点調節処理において焦点状態の確認や微調整に適したタイミングでピーキング表示を可能にするデジタルカメラを得ることを目的とする。
【課題を解決するための手段】
【０００６】
本発明は、オートフォーカスモード（ＡＦモード）において、自動焦点調節処理によりフォーカスロック状態となった時点でモニター上におけるピーキング表示を開始すれば、焦点状態の確認や微調整に適したタイミングでピーキング表示が可能になる、との着眼に基づいて完成されたものである。
【０００７】
すなわち、本発明のデジタルカメラは、撮影レンズを介して被写体を撮像する撮像部；前記撮像部が撮像した被写体の画像をスルー表示する表示部；前記撮像部が撮像した被写体の画像に基づいて焦点状態を検出し、検出した焦点状態に基づいて焦点調節レンズ群を移動させて特定被写体に合焦させる自動焦点調節部；前記自動焦点調節部が前記特定被写体に合焦させたときに、該自動焦点調節部による焦点調節レンズ群の移動を禁止してフォーカスロックするフォーカスロック部；前記フォーカスロック部がフォーカスロックしているか否かを検出するフォーカスロック検出部；前記撮影レンズが、前記焦点調節レンズ群を前記自動焦点調節部とは独立した手動操作により移動させる手動操作部を備えた特定撮影レンズであるか否かを検出するレンズ検出部；及び前記フォーカスロック検出部が前記フォーカスロック部のフォーカスロックを検出し、かつ前記レンズ検出部が撮影レンズが前記特定撮影レンズであることを検出したときに、前記表示部において、前記特定被写体の画像を部分的にまたは全体的に画像処理してその他の被写体の画像と識別して表示させる識別表示制御部；を備えることを特徴としている。
【０００９】
本発明のデジタルカメラは、前記表示部において、前記撮像部が撮像した被写体の画像のうち、少なくとも前記特定被写体の画像を含む領域を拡大して表示する拡大表示制御部をさらに備えており、前記識別表示制御部は、前記拡大表示制御部による拡大表示が実行されたときに、前記表示部において、前記特定被写体の画像を部分的にまたは全体的に画像処理してその他の被写体の画像と識別して表示させることが好ましい。
【００１０】
例えば、前記識別表示制御部は、前記表示部において、前記特定被写体の輪郭の画像をその他の被写体の輪郭の画像とは異なる太さ、色または輝度で表示することでピーキング表示を実行することができる。
【発明の効果】
【００１１】
本発明のデジタルカメラによれば、自動焦点調節部により焦点調節レンズ群を移動する可能性がある間は表示部において特定被写体の画像をその他の被写体の画像と識別するピーキング表示がされないので、撮影構図や色の確認が容易であり、自動焦点調節部により特定被写体に合焦し、自動焦点調節部による焦点調節レンズ群の移動が禁止されてフォーカスロックされたときに、表示部において特定被写体の画像を部分的にまたは全体的に画像処理してその他の被写体の画像と識別するピーキング表示がされるので、焦点状態の確認や微調整に適したタイミングでピーキング表示を開始することができる。
【図面の簡単な説明】
【００１２】
【図１】本発明を適用したミラーレスのレンズ交換式デジタルカメラの実施形態の主要部を示すブロック図である。
【図２】同レンズ交換式デジタルカメラのモニターにおけるピーキング表示の実施例を示す図であって、（Ａ）はピーキング表示無しの状態を、（Ｂ）はピーキング表示有りの状態を示した図である。
【図３】同レンズ交換式デジタルカメラの撮影モードにおける動作に関するフローチャートである。
【図４】図３のスルー表示処理（１）の実施形態に関するフローチャートである。
【図５】図３のスルー表示処理（２）の実施形態に関するフローチャートである。
【発明を実施するための形態】
【００１３】
図１は、本発明をミラーレスのレンズ交換式デジタルカメラに適用した実施形態であって、その主要構成をブロックで示した図である。このレンズ交換式デジタルカメラは、カメラボディ１１と、このカメラボディ１１に着脱可能な撮影レンズ５１とを備えている。
【００１４】
カメラボディ１１は、カメラボディ１１及び撮影レンズ５１の機能を総括的に制御する制御手段としてボディＣＰＵ３１（フォーカスロック部、自動焦点調節部、フォーカスロック検出部、識別表示制御部、拡大表示制御部）を備えている。
【００１５】
一方、撮影レンズ５１は、レンズ機能を制御するレンズＣＰＵ５７と、焦点調節レンズ群５２を光軸方向（光軸Ｏと平行な方向）に駆動するギヤブロック５３と、撮影レンズ５１のマウント部に設けられた、カメラボディ１１のジョイント３５と着脱自在に連結するジョイント５５を備えている。ギヤブロック５３は、光軸Ｏ回りに回転して焦点調節レンズ群５２を光軸方向に移動させる距離調節環を含み、ギヤブロック５３とジョイント５５とは、一方向入出力回転伝達機構５４を介して連結されている。さらに撮影レンズ５１は、手動操作される手動操作環（手動操作部）５９を備えている。手動操作環５９とギヤブロック５３は、一方向入出力回転伝達機構（手動操作部）５８を介してギヤブロック５３に連結されている。
【００１６】
この撮影レンズ５１において、一方の一方向入出力回転伝達機構５４は、ジョイント５５の回転はギヤブロック５３に伝達するが、ギヤブロック５３の回転はジョイント５５に伝達しない公知の機構であり、他方の一方向入出力回転伝達機構５８は、手動操作環５９の回転はギヤブロック５３に伝達するが、ギヤブロック５３の回転は手動操作環５９に伝達しない公知の機構である。このような機構はシームレスレンズ駆動切換機構として周知である（例えば、特開２００４−６９０５４号公報、特開２００４−１４５０３７号公報、特開２００４−１４５０３８号公報、特開２００５−１８８７４２号公報、特開２００５−２０８６３３号公報、特開２００５−１２７４５７号公報、特開２００５−１１４８７７号公報、特開２００５−１２８３２５号公報、特開２００６−１４５７８３号公報、特開２０１１−１７５３０２号公報）。本実施形態では、シームレスレンズ駆動切換機構を備えた撮影レンズを「特定撮影レンズ（クイックシフトレンズ）」と呼ぶ。
【００１７】
特定撮影レンズ（クイックシフトレンズ）は、カメラボディ内の自動焦点調節用の電動手段によってレンズ駆動環を回転させて焦点調節レンズ群を移動させる一方、撮影レンズの手動操作環の回転によってレンズ駆動環を回動させて焦点調節レンズ群を移動させる機構を備え、従来のデジタルカメラにも着脱可能な撮影レンズである。すなわち、特定撮影レンズ（クイックシフトレンズ）は、装着されたデジタルカメラの自動焦点調節部とは独立して、単独で、焦点調節レンズ群を手動で移動させることが可能である。例えば、デジタルカメラの自動焦点調節部によって焦点調節レンズ群が特定被写体に対して合焦する位置に移動させられた後に、その(状態の)まま手動により焦点調節（焦点調節レンズ群の移動）を行うことが可能である。
【００１８】
ボディＣＰＵ３１は、ＡＦモータドライバ３２を介してＡＦモータ３３を回転駆動する。ＡＦモータ３３の回転は、ギヤブロック３４により減速され、カメラボディ１１のマウント部に設けられたジョイント３５と撮影レンズ５１のマウント部に設けられたジョイント５５との接続及び一方向入出力回転伝達機構５４を介してギヤブロック５３に伝達され、ギヤブロック５３を介して焦点調節レンズ群５２を光軸方向に進退移動させる。ＡＦモータ３３は、その回転に連動してＡＦパルスを出力するエンコーダ３７を備えている。ボディＣＰＵ３１は、エンコーダ３７が出力するＡＦパルスをＡＦモータ３３の回転方向に応じて内蔵のカウンタ３１ａによりカウントして、焦点調節レンズ群５２の光軸方向位置を検出する公知の構成である。ボディＣＰＵ３１、ＡＦモータドライバ３２、ＡＦモータ３３及びジョイント３５と、撮像素子４５、ＡＦＥ４６及びＤＳＰ４１がカメラボディ１１の自動焦点調節部を構成している。
【００１９】
レンズＣＰＵ５７は、電気接点群５６、３６の接続を介してカメラボディ１１の周辺制御回路２１と接続されていて、この周辺制御回路２１を介してボディＣＰＵ３１との間で、レンズの種別情報、開放（最小）Ｆ値／最大Ｆ値情報、焦点距離情報、撮影距離情報などを所定のデータ通信により通信する。このレンズの種別情報には、焦点調節レンズ群５２を、カメラボディ１１の自動焦点調節部とは独立した手動操作により移動させる手動操作部を備えた特定撮影レンズ（クイックシフトレンズ）であることを識別するレンズ種別情報が含まれる。すなわち、ボディＣＰＵ３１が周辺制御回路２１を介してレンズＣＰＵ５７と通信することで、ボディＣＰＵ３１は、カメラボディ１１に装着されている撮影レンズ５１が特定撮影レンズ（クイックシフトレンズ）であるか否かを検出することができる。
【００２０】
カメラボディ１１内にはさらに、撮影レンズ５１内の絞り装置（図示せず）を開閉制御する絞り機構２２を備えている。
【００２１】
ボディＣＰＵ３１には、フォーカスモードをマニュアルフォーカス（ＭＦ）モード、オートフォーカス（シングルＡＦ／コンティニュアスＡＦ）モードの間で切り換えるフォーカスモードスイッチＳＷＦＭｏ、オートフォーカス動作（自動焦点調節動作）を開始させるＡＦ作動スイッチＳＷＡＦ、静止画撮像及び静止画記録処理を開始させるレリーズスイッチＳＷＲ、周辺制御回路２１等への電源をオン／オフするメインスイッチＳＷＭ、撮影モード／再生モード／設定モードなどのモード、ピーキング表示のＯＮ／ＯＦＦを切り換えるモードスイッチＳＷＭｏ、及び合焦した被写体画像を含む一部領域を拡大表示する拡大表示スイッチＳＷＭａｇが接続されている。シングルＡＦモードは、ＡＦ処理（自動焦点調節処理）により合焦すると、焦点調節レンズ群５２の移動を禁止するＡＦロック処理を行うＡＦモードである。
【００２２】
カメラボディ１１には、撮像部として撮像素子４５が設けられている。撮影レンズ５１からカメラボディ１１内に入射した被写体光束は、撮像素子４５の受光面に被写体像を形成する。撮像素子４５は、受光した被写体像を電気的な画像信号に変換して出力する。撮像素子４５が出力した画像（被写体画像）信号は、ＡＦＥ（アナログフロントエンド）４６でデジタル化され、ＤＳＰ４１でホワイトバランス等の信号処理、モニター（表示部）４２で表示可能な表示用画像信号への変換処理等がなされ、表示用画像信号によって被写体画像がモニター４２に表示される。モニター４２は、カメラボディ１１の背面に装着されている。モニター４２にはさらに、設定されたＡＦモード（シングルＡＦ／コンティニュアスＡＦ）、撮影モード／再生モード／設定モード、シャッタ速度、絞り値などの各種撮影情報が表示される。なお、図１には、二点鎖線で示した被写体光束が入射する撮像素子４５と、実線で示したＡＦＥ４６と接続された撮像素子４５を示しているが、これらは同一の撮像素子である。
【００２３】
ＤＳＰ４１は、ボディＣＰＵ３１との間で画像信号、撮影に関する情報を通信し、ボディＣＰＵ３１の動作状態に応じて動作する。例えばＤＳＰ４１とモニター４２は、ボディＣＰＵ３１が撮影モードで動作している場合は、撮像素子４５が出力した画像信号をモニター４２にスルー表示（ライブビュー表示）するスルー表示部（ライブビュー表示部）として動作する。ＤＳＰ４１は、ボディＣＰＵ３１が自動焦点調節動作（ＡＦ処理）している場合は、撮像素子４５が出力した画像信号をボディＣＰＵ３１が処理可能な画像信号に変換してボディＣＰＵ３１に出力する。ＤＳＰ４１は、ボディＣＰＵ３１が静止画撮影動作している場合は、ボディＣＰＵ３１が設定した条件で撮像素子４５に撮像動作させて撮像素子４５が撮像した被写体画像信号に所定の処理を施してフラッシュメモリ３８に書き込む。ＤＳＰ４１は、モードなどに応じて識別表示制御部や拡大表示制御部の一部として機能する。フラッシュメモリ３８は、カメラボディ１１に着脱自在な公知のメモリーカードである。
【００２４】
ボディＣＰＵ３１は、メインスイッチＳＷＭが電源ＯＮ操作されると、周辺制御回路２１、ＤＳＰ４１などカメラボディ１１内の他の部材への電源をＯＮし、モニター４２に初期情報を表示させる。周辺制御回路２１は、レンズＣＰＵ５７と通信して、レンズ種別情報などの情報を通信する。ボディＣＰＵ３１は、撮影モードが選択されている場合に、ＤＳＰ４１を介してスルー表示用の撮像処理を撮像素子４５に開始させて、撮像素子４５が撮像した被写体画像をＤＳＰ４１を介してモニター４２にスルー表示させる。ここで撮像素子４５のスルー表示用の撮像処理は、例えば、所定時間間隔で撮像処理を繰り返す、動画撮像処理と同様の撮像処理である。
ボディＣＰＵ３１は、ＤＳＰ４１から出力された被写体画像信号により被写体の明るさを検出して、ＤＳＰ４１を介して、撮像素子４５の露光時間（電子シャッタ速度）、あるいは撮像素子４５が出力した画像信号のゲインを調整する。
【００２５】
カメラボディ１１（ボディＣＰＵ３１）は、公知の自動焦点調節機能を有する。ボディＣＰＵ３１は、この実施形態では公知のいわゆる画像コントラスト方式を実行するものとする。ボディＣＰＵ３１は、ＡＦ作動スイッチＳＷＡＦがＯＮされたときに自動焦点調節処理を開始する。ボディＣＰＵ３１は、ＡＦモータ３３を介して焦点調節レンズ群５２を最短合焦位置と無限遠合焦位置の間を移動させながら、撮像素子４５が撮像した被写体画像信号に基づいてコントラストを算出し、コントラストがピークとなる焦点調節レンズ群５２の位置（合焦位置）を検出するコントラストサーチ処理を実行して、コントラストがピークとなる位置を検出したら、その位置を合焦位置として、焦点調節レンズ群５２を移動させる。ボディＣＰＵ３１は、焦点調節レンズ群５２を合焦位置に移動した場合、シングルＡＦモードを選択している場合はＡＦモータ３３の駆動を禁止し、焦点調節レンズ群５２をその合焦位置に保持（ＡＦロック）する。
【００２６】
ボディＣＰＵ３１は、マニュアルフォーカスモードが設定されている場合においては、ＡＦモータ３３を駆動せずに、撮像素子４５が撮像した被写体画像信号に基づいてコントラストのピークを検出する。
【００２７】
さらにこのカメラボディ１１は、自動焦点調節処理において、焦点調節レンズ群５２を合焦位置に移動させ、ＡＦロックしたときに、モニター４２の画面１０１において、合焦した特定被写体の画像を画像処理して他の被写体の画像と識別して表示（以下「ピーキング表示」という）させる。図２（Ａ）、（Ｂ）には、近景（人物）と遠景（背景の樹木など）が含まれる被写体を撮影し、人物の顔に合焦しているときのモニター４２の画面１０１を示した。図２（Ａ）は通常表示（非ピーキング表示）の画面１０１である。通常表示の画面１０１は、人物画像１０３と背景の樹木画像１０５が通常表示（非ピーキング表示）されているので、人物画像１０３と背景の樹木画像１０５のいずれに合焦しているのか、特に人物のいずれの部分に合焦しているのか視認（識別）するのが困難である。図２（Ｂ）は、合焦した被写体画像をピーキング表示するピーキング有り表示の画面１０１である。ピーキング有り表示では、合焦している人物画像１０３（顔画像）の輪郭がピーキング表示されている。この実施形態のピーキング表示は、合焦している人物画像１０３の顔画像（コントラストのピークまたは所定範囲と検出している領域）の輪郭を太く、暗く（黒く）した表示であり、他の画像である人物の顔以外の例えば身体と明確に識別されている。したがって使用者は、人物画像１０３の顔に合焦していることが容易に視認（識別）できる。ピーキング表示は、図２（Ｂ）に示したように検出されたコントラストのピークと判断される画像領域内で部分的に輪郭強調などの処理を行うようにしているが、眼など顔の一部分、または肩、腕、手などまたはそれらの一部においてピークが検出された画像領域（部分的）でもよく、ピーク幅や一連する輪郭を判断して合焦している被写体画像全体に対して（全体的に）実施してもよい。さらに本発明のピーキング表示は、複数の被写体に合焦しているときは合焦している各被写体画像について上記のように実行してもよい。
【００２８】
なお、ボディＣＰＵ３１は、この実施形態では、ある特定被写体、例えば、顔と認識した被写体が複数存在した場合はその中で最近距離の被写体を特定被写体として合焦処理している。
【００２９】
ピーキング表示自体は公知であり、モニター４２の表示（画面１０１）において、図２（Ｂ）では合焦した被写体画像の輪郭を太く、輝度を低く（黒く）示したが、例えば、合焦した被写体画像、または被写体画像を含む領域の色彩を変更する、などがある。
【００３０】
またボディＣＰＵ３１は、モニター４２に表示した、合焦被写体画像またはその周辺まで含む画像を、好ましくは合焦被写体画像の中央を中心として、拡大表示する拡大表示機能を有している。例えば、拡大表示スイッチＳＷＭａｇがＯＮされると、ボディＣＰＵ３１は、ＤＳＰ４１を介して、モニター４２において、合焦被写体画像を含む領域を拡大表示する。その際、拡大表示した合焦被写体画像について、ピーキング表示することも可能である。
【００３１】
本発明のデジタルカメラは、ボディＣＰＵ３１が、オートフォーカスモード（ＡＦモード）における自動焦点調節処理が完了したフォーカスロック状態となった時点でモニター４２上におけるピーキング表示を開始する点を特徴としている。以下、図３ないし図５のフローチャートを参照してこの特徴部分について詳細に説明する。
【００３２】
図３の撮影モード処理は、メインスイッチＳＷＭにより電源ＯＮ操作され、モードスイッチＳＷＭｏにより撮影モードが選択されているときに、ボディＣＰＵ３１によって制御される処理である。
【００３３】
ボディＣＰＵ３１は、撮影モード処理に入ると、先ず、撮像素子４５によりスルー表示用撮像処理を開始する（ステップＳ１１）。続いてボディＣＰＵ３１は、ＡＦ作動スイッチＳＷＡＦがＯＮしているかどうかチェックし（ステップＳ１３）、ＡＦ作動スイッチＳＷＡＦがＯＮしていなければ（ステップＳ１３：ＮＯ）、スルー表示処理（１）（ステップＳ１５）を実行してステップＳ１１に戻る。なお、スルー表示用撮像処理に入るとＤＳＰ４１は、撮像素子４５にスルー表示用の撮像動作をさせて、撮像した画像をモニター４２にスルー表示する処理を継続する。
【００３４】
スルー表示処理（１）について、図４に示したフローチャートを参照して説明する。ボディＣＰＵ３１は、スルー表示処理（１）に入ると、先ずピーキング設定がＯＮかＯＦＦか（ピーキング表示有りか無しか）をチェックする（ステップＳ５１）。ボディＣＰＵ３１は、ピーキング設定がＯＦＦの場合（ステップＳ５１：ＯＦＦ）は、ピーキング無し表示を設定してリターンする（ステップＳ５３、ＲＥＴＵＲＮ）。ピーキング無し表示は、特定被写体に合焦する合焦位置まで焦点調節レンズ群５２を移動させて合焦しても、モニター４２に表示した合焦被写体の画像をピーキング表示しない表示態様（図２（Ａ））である。ピーキング設定のＯＮ／ＯＦＦ（ピーキング表示の有り無し）は、モードスイッチＳＷＭｏ操作による切り換えに限らず、カメラ機能に関するメニュー内設定操作により設定するようにしても良い。
【００３５】
ボディＣＰＵ３１は、ピーキング設定がＯＮの場合（ステップＳ５１：ＯＮ）は、フォーカスモードスイッチＳＷＦＭｏによるフォーカスモードがＡＦ（オートフォーカス、自動焦点調節）モードかＭＦ（マニュアルフォーカス、手動焦点調節）モードかをチェックする（ステップＳ５５）。フォーカスモードがＡＦモードの場合（ステップＳ５５：ＡＦ）は、ピーキング無し表示を設定してリターンし（ステップＳ５３、ＲＥＴＵＲＮ）、ＭＦモードの場合は（ステップＳ５５：ＭＦ）、ピーキング有り表示を設定してリターンする（ステップＳ５７、ＲＥＴＵＲＮ）。ピーキング有り表示は、スルー表示（ライブビュー表示）を実行しているモニター４２上において、撮影者のマニュアルフォーカス（ＭＦ）操作によって焦点調節レンズ群５２が特定被写体に合焦する合焦位置まで移動したとき(合焦したとき）に、モニター４２に表示した合焦被写体の画像をピーキング表示する表示態様（図２（Ｂ））である。
【００３６】
ボディＣＰＵ３１は、ＡＦ作動スイッチＳＷＡＦがＯＮされるまでステップＳ１１乃至Ｓ１５の処理を繰り返す。以上のステップＳ１１乃至Ｓ１５の処理により、ＡＦ作動スイッチＳＷＡＦがＯＦＦしている間は、ピーキング設定がＯＮであっても、モニター４２のスルー表示において、ＡＦモードの場合はピーキング表示がされず、ＭＦモードの場合はピーキング表示がされる。
【００３７】
ボディＣＰＵ３１は、ＡＦ作動スイッチＳＷＡＦがＯＮされると（ステップＳ１３：ＹＥＳ）、ＡＦ（自動焦点調節）処理を開始する（ステップＳ１７）。このＡＦ処理においてボディＣＰＵ３１は、ＡＦモータ３３を介して、例えば焦点調節レンズ群５２を最短合焦位置から無限遠合焦位置まで（無限遠合焦位置から最短撮影位置まで、現在位置からいずれかの可動端まで、または現在位置の前後所定範囲内において）ステップ駆動しながら、撮像素子４５がスルー表示用に撮像した被写体画像に基づいてコントラストを検出し、コントラストのピークを検出したときに、そのピークが得られたレンズ位置（合焦位置）に焦点調節レンズ群５２を移動する。ここでボディＣＰＵ３１は、ステップＳ１７のＡＦ処理により、焦点調節レンズ群５２を１ステップ駆動して被写体画像のコントラストを検出し、ピークが得られたレンズ位置へ移動させ、ステップＳ１９に進んでスルー表示処理（２）を実行する。
【００３８】
ステップＳ１９のスルー表示処理（２）について、図５のフローチャートを参照して説明する。ボディＣＰＵ３１は、スルー表示処理（２）に入ると先ず、ＡＦロック（フォーカスロック）状態であるか否かをチェックする（ステップＳ６１）。ＡＦロックとは、ステップＳ１７のＡＦ処理において、特定被写体画像についてコントラストのピークが検出され、そのピークが得られた合焦位置に焦点調節レンズ群５２を移動したときに、ＡＦモータ３３の駆動を禁止した状態を意味する。ＡＦロック状態では、ＡＦモータ３３の駆動は禁止するが、撮影モードが設定されている間、撮像素子４５がスルー表示用の撮像処理によって撮像した被写体画像に基づいてコントラスト及びコントラストのピークを検出するコントラスト及びピーク検出処理は継続する。
【００３９】
ボディＣＰＵ３１は、ＡＦロック状態であるときは（ステップＳ６１：ＹＥＳ）、装着されている撮影レンズ５１が特定撮影レンズ（クイックシフトレンズ）であるか否かを判定する（ステップＳ６３）。
【００４０】
そしてボディＣＰＵ３１は、ＡＦロック状態であり（ステップＳ６１：ＹＥＳ）、かつ装着されている撮影レンズ５１が特定撮影レンズ（クイックシフトレンズ）であると判定したときに（ステップＳ６３：ＹＥＳ）、ピーキング有り表示を設定してリターンする（ステップＳ６５、ＲＥＴＵＲＮ）。ボディＣＰＵ３１は、ピーキング有り表示を設定すると、ステップＳ１７のＡＦ処理により、特定被写体画像についてコントラストのピークを検出し、ピークが得られた位置に焦点調節レンズ群５２を移動して特定被写体に合焦したときに、モニター４２において表示した合焦特定被写体の画像について、ピーキング表示をする（図２（Ｂ）参照）。したがって使用者は、その後、ＡＦモードをＭＦモードに切り換えることなく、モニター４２のピーキング表示を見ながら、手動操作環５９を回動操作して、焦点微調整を行うことができる。
【００４１】
ボディＣＰＵ３１は、ＡＦロック状態ではないとき（ステップＳ６１：ＮＯ）、及び／又は装着されている撮影レンズ５１が特定撮影レンズ（クイックシフトレンズ）ではないと判定したときは（ステップＳ６３：ＮＯ）、ピーキング無し表示を設定してリターンする（ステップＳ６７：ＲＥＴＵＲＮ）。ボディＣＰＵ３１は、ピーキング無し表示を設定すると、ステップＳ１７のＡＦ処理により、特定被写体画像についてコントラストのピークを検出し、そのピークが得られた合焦位置に焦点調節レンズ群５２を移動したときに、モニター４２に表示している合焦した特定被写体の画像についてピーキング無しによる表示、つまり特別な加工（画像処理）をしない通常表示をする（図２（Ａ）参照）。
【００４２】
なお、ボディＣＰＵ３１は、スルー表示処理（２）からリターンすると、レリーズスイッチＳＷＲがＯＮしているかどうかチェックし（ステップＳ２１）、レリーズスイッチＳＷＲがＯＮしていなければ（ステップＳ２１：ＮＯ）、ＡＦ作動スイッチＳＷＡＦがＯＮしているかどうかチェックし（ステップＳ２７）、ＡＦ作動スイッチＳＷＡＦがＯＮしていれば（ステップＳ２７：ＹＥＳ）、ステップＳ１９に戻ってスルー表示処理（２）を繰り返す。ＡＦ作動スイッチＳＷＡＦがＯＦＦされると（ステップＳ２７：ＮＯ）、ステップＳ１１に戻る。ボディＣＰＵ３１は、スルー表示処理（２）を繰り返している間（ステップＳ１９、ステップＳ２１：ＮＯ、ステップＳ２７：ＹＥＳ、ステップＳ１９）に、ＭＦ操作により、構図の変化により、または被写体の移動などにより合焦被写体が変動したときは、新たに合焦したと判定した被写体画像に対してピーキング表示を行う。
【００４３】
レリーズスイッチＳＷＲがＯＮしていれば（ステップＳ２１：ＹＥＳ）、公知の、静止画撮像処理（ステップＳ２３）、及び撮像した静止画像データをフラッシュメモリ３８に書き込む静止画像記録処理（ステップＳ２５）を実行してステップＳ１１に戻る。
【００４４】
以上のように、本実施形態のデジタルカメラによれば、ボディＣＰＵ３１（フォーカスロック部、フォーカスロック検出部、識別表示制御部）が、ＡＦロック状態であるか否かを検出し、ＡＦロック状態であると検出したときに、モニター４２において、特定被写体の画像を部分的にまたは全体的に画像処理してその他の被写体の画像と識別して表示させている。これにより、焦点調節レンズ群５２を移動する可能性がある間はモニター４２において特定被写体の画像を部分的にまたは全体的に画像処理してその他の被写体の画像と識別するピーキング表示がされないので、撮影構図や色の確認が容易であり、自動焦点調節処理によって特定被写体に合焦し、焦点調節レンズ群５２の移動が禁止されてフォーカスロックされたときに、モニター４２において特定被写体の画像を部分的にまたは全体的に画像処理してその他の被写体の画像と識別するピーキング表示がされるので、焦点状態の確認や微調整に適したタイミングでピーキング表示を開始することができる。
【００４５】
とりわけ本実施形態のデジタルカメラは、装着されている撮影レンズ５１が特定撮影レンズ（クイックシフトレンズ）である場合に有用である。使用者は、ＡＦ処理によって自動合焦してフォーカスロックした後に、ＡＦモードをＭＦモードに切り換えることなく、モニター４２の画面１０１上のピーキング表示された特定被写体の画像を見ながら、さらに手動操作環５９を回動操作して焦点状態を微調整することができるからである。
これに対し従来品では、自動焦点調節処理中にピーキング表示をすると表示が煩わしく、構図、色の確認等が困難になり、ピーキング表示をしないと、自動合焦してもモニター画面ではどの被写体（被写体画像）に合焦しているのか識別し難く、その後の手動焦点調節が困難であった。また手動により焦点調節操作されたことをカメラボディに何ら通知しないので、手動による焦点調節操作に切り換わったことをカメラボディが検知してピーキング表示を開始することができなかった。
【００４６】
以上の実施形態は、カメラボディ１１に特定撮影レンズ（クイックシフトレンズ）が装着され、ＡＦ処理においてＡＦロックされたときにピーキング表示する構成であったが、本発明はこれに限定されず、特定撮影レンズ（クイックシフトレンズ）以外の撮影レンズが装着されていても、ＡＦロックされたときにピーキング表示する態様も可能である。
【００４７】
以上の実施形態は、ＡＦロックしたときにピーキング表示する構成であったが、本発明は、ＡＦロック後、合焦した被写体画像領域を含む画像領域を拡大表示する拡大表示操作がされたときに、拡大表示した画像中の合焦画像についてピーキング表示する構成でもよい。
【００４８】
以上の実施形態は、本発明をミラー、シャッタを有しないカメラボディ１１に適用したが、本発明はこの実施形態に限定されない。例えば、ミラー、シャッタを有するデジタル一眼レフカメラであっても、ミラーアップ、シャッタ開放してライブビュー撮影が可能なデジタルカメラに適用できる。さらに本発明は、表示部として撮像部が撮像した被写体画像を表示するＥＶＦ（電子ビューファインダー）を備えたデジタルカメラに適用することもできる。
【符号の説明】
【００４９】
１１  カメラボディ
２１  周辺制御回路
３１  ボディＣＰＵ（フォーカスロック部、自動焦点調節部、フォーカスロック検出部、識別表示制御部、拡大表示制御部）
３２  ＡＦモータドライバ（自動焦点調節部）
３３  ＡＦモータ（自動焦点調節部）
３４  ギヤブロック（自動焦点調節部）
３５  ジョイント（自動焦点調節部）
３８  フラッシュメモリ
４１  ＤＳＰ（自動焦点調節部、識別表示制御部、拡大表示制御部）
４２  モニター（表示部）
４５  撮像素子（撮像部、自動焦点調節部）
４６  ＡＦＥ（自動焦点調節部）
５１  撮影レンズ
５２  焦点調節レンズ群
５３  ギヤブロック（手動操作部）
５４  一方向入出力回転伝達機構
５５  ジョイント
５７  レンズＣＰＵ
５８  一方向入出力回転伝達機構（手動操作部）
５９  手動操作環（手動操作部）
１０１  画面
１０３  人物画像
１０５  背景の樹木画像
ＳＷＡＦ  ＡＦ作動スイッチ
ＳＷＦＭｏ  フォーカスモードスイッチ
ＳＷＭо  モードスイッチ
ＳＷＭａｇ  拡大表示スイッチ
【図１】
0005942444.tif 000002
【図２】
0005942444.tif 000003
【図３】
0005942444.tif 000004
【図４】
0005942444.tif 000005
【図５】
0005942444.tif 000006